(57)【特許請求の範囲】
【請求項１】
支持地盤上に設置された直接基礎形式の基礎構造であって、
上下方向に貫通する基礎貫通孔を有し、該基礎貫通孔の内面に基礎さや管を有する複数の基礎ブロックと、
複数の前記基礎ブロックを上下方向に連結する基礎連結用鋼材と、
を備え、
前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、
さらに、前記基礎ブロックの前記基礎さや管と該基礎さや管に差し込まれた前記基礎連結用鋼材とは一体化されており、また、前記基礎連結用鋼材は最上段の前記基礎ブロックの上面よりも上方に突出しており、
最上段の前記基礎ブロックの上面よりも上方に突出した前記基礎連結用鋼材の部位は、前記基礎構造の上方に位置する構造物との連結に利用可能なことを特徴とする基礎構造。
【請求項２】
支持地盤上に設置された直接基礎形式の基礎構造であって、
上下方向に貫通する基礎貫通孔を有し、該基礎貫通孔の内面に基礎さや管を有する複数の基礎ブロックと、該複数の基礎ブロックを上下方向に連結する基礎連結用鋼材と、を有する複数の基礎ブロック構造を備え、
前記基礎ブロック構造において、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、
また、前記基礎ブロック構造において、前記基礎ブロックの前記基礎さや管と該基礎さや管に差し込まれた前記基礎連結用鋼材とは一体化されており、また、前記基礎連結用鋼材は最上段の前記基礎ブロックの上面よりも上方に突出しており、
さらに、前記基礎ブロック構造同士はお互いに対向するように、かつ、最下段の前記基礎ブロックの前記張り出した部位同士がお互いに近接して対向するように配置されており、
お互いに近接して対向する前記張り出した部位同士の上方には中詰め材が充填されており、
最上段の前記基礎ブロックの上面よりも上方に突出した前記基礎連結用鋼材の部位は、前記基礎構造の上方に位置する構造物との連結に利用可能なことを特徴とする基礎構造。
【請求項３】
支持地盤上に設置された直接基礎形式の基礎構造であって、
上下方向に貫通する基礎貫通孔を有し、該基礎貫通孔の内面に基礎さや管を有する複数の基礎ブロックと、
複数の前記基礎ブロックを上下方向に連結する基礎連結用鋼材と、
を備え、
前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、
さらに、前記基礎ブロックの前記基礎さや管と該基礎さや管に差し込まれた前記基礎連結用鋼材とは一体化されており、また、前記基礎連結用鋼材の上端の高さ位置は、最上段の前記基礎ブロックの上面と同一の高さ位置であるか、あるいは最上段の前記基礎ブロックの上面よりも下方であることを特徴とする基礎構造。
【請求項４】
支持地盤上に設置された直接基礎形式の基礎構造であって、
上下方向に貫通する基礎貫通孔を有し、該基礎貫通孔の内面に基礎さや管を有する複数の基礎ブロックと、該複数の基礎ブロックを上下方向に連結する基礎連結用鋼材と、を有する複数の基礎ブロック構造を備え、
前記基礎ブロック構造において、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、
また、前記基礎ブロック構造において、前記基礎ブロックの前記基礎さや管と該基礎さや管に差し込まれた前記基礎連結用鋼材とは一体化されており、また、前記基礎連結用鋼材の上端の高さ位置は、最上段の前記基礎ブロックの上面と同一の高さ位置であるか、あるいは最上段の前記基礎ブロックの上面よりも下方であり、
さらに、前記基礎ブロック構造同士はお互いに対向するように、かつ、最下段の前記基礎ブロックの前記張り出した部位同士がお互いに近接して対向するように配置されており、
お互いに近接して対向する前記張り出した部位同士の上方には中詰め材が充填されていることを特徴とする基礎構造。
【請求項５】
前記中詰め材は、土および砂のうちの少なくともいずれか一方であることを特徴とする請求項２または４に記載の基礎構造。
【請求項６】
前記基礎さや管と該基礎さや管に差し込まれた前記基礎連結用鋼材との間隙にはグラウト材が充填されていることを特徴とする請求項１〜５のいずれかに記載の基礎構造。
【請求項７】
前記基礎連結用鋼材は鋼管または形鋼であることを特徴とする請求項１〜６のいずれかに記載の基礎構造。
【請求項８】
前記基礎連結用鋼材は鋼板からビルドアップして製作されていることを特徴とする請求項１〜６のいずれかに記載の基礎構造。
【請求項９】
請求項１〜８のいずれかに記載の基礎構造において、上下方向に複数積み重ねられた前記基礎ブロックのうちの最下段の基礎ブロックを、上方のみ開口した非貫通孔を有し、該非貫通孔の内面に基礎さや管を有し、かつ、水平方向に張り出した部位を有する基礎ブロックに置き換えたことを特徴とする基礎構造。
【発明の詳細な説明】
【技術分野】
【０００１】
本発明は、杭を用いずに支持地盤上に設置された直接基礎形式の基礎構造に関し、詳細には、プレキャスト化された基礎ブロックが複数段積み重ねられて形成された基礎構造に関する。この基礎構造は例えば防潮堤の基礎構造として好適に用いることができる。
【背景技術】
【０００２】
構造物を下方から支持する基礎構造の１つに杭基礎構造がある。杭基礎構造は、摩擦杭を用いた構造および支持杭を用いた構造に大別される。ここで、防潮堤等の堤体は重量が大きいため、防潮堤等の堤体を支持する杭基礎構造には、杭先端の支持力を設計時に考慮することができる支持杭を用いた杭基礎構造が多く採用されている。
【０００３】
支持杭を用いた杭基礎構造では、鋼管杭等の杭を良質な支持層に達するまで地中に打ち込み、さらには支持層中への所要の根入れ深さを確保できる深さまで杭を根入れさせて、所要の支持力（押し込み耐力、引き抜き耐力）を確保している。支持層中への杭の根入れ深さは、杭径程度以上確保することが一般的になされている。
【０００４】
ここで、押し込み耐力は、「杭と地盤の周面摩擦力」と「杭先端の支持力」によって確保することができるが、引き抜き耐力は、「杭と地盤の周面摩擦力」のみによって確保することが必要である。
【０００５】
このため、良質な支持層の深さ位置が極端に浅い場合（例えば、地表面から３〜４ｍ程度）には、所要の支持力、特に引き抜き耐力を確保するために、良質な支持層への必要な杭の根入れ深さが極端に大きくなってしまうことがあり、支持層中への必要な杭の根入れ深さが杭径の何倍にも達してしまうことがある。
【０００６】
一方、良質な支持層は基本的に地盤が固くなっているため、杭径の何倍も根入れするためには杭の打設方法にかなり特殊な工法を採用することが必要となり、施工費および施工日数が増大してしまうことが問題となる場合がある。
【０００７】
このため、支持層が極端に浅い場合には、基礎形式を杭基礎ではなく、直接基礎とすることがある。直接基礎の場合の基礎構造は、構造物本体を良質な支持層にて直接的に支持する基礎構造となる。
【０００８】
防潮堤において直接基礎を採用する場合、良質な支持層まで床掘りし、良質な支持層上に基礎コンクリートを現場にて打設し、その基礎コンクリート上にＬ型断面の本体コンクリートを現場にて打設して、防潮堤を構築することがある。
【０００９】
しかしながら、この構造は、特に基礎コンクリートにおいて大量の生コンクリートが必要となるため、現地にて大量の生コンクリートを確保する必要がある。このため、現地において十分な生コンクリートが確保できない場合には、短工期で施工を行うことが困難になるという問題がある。
【００１０】
現地において必要とする生コンクリートの量を減少させることが可能な堤体としては、例えば特許文献１で開示されている、プレキャストフーチングおよびプレキャスト壁体を活用した堤体がある。
【００１１】
しかしながら、特許文献１で開示されている堤体は、杭基礎を前提としたものであり、直接基礎に対応したものではない。
【００１２】
また、防潮堤において直接基礎を採用する場合で基礎コンクリートを用いない方法としては、地表面から良質な支持層までの間を地盤改良する方法もあるが、施工方法、地盤改良の範囲、施工規模によっては不経済となるという問題がある。
【先行技術文献】
【特許文献】
【００１３】
【特許文献１】特許第５０２４４８９号公報
【発明の概要】
【発明が解決しようとする課題】
【００１４】
本発明は、かかる問題点に鑑みてなされたものであって、現場での生コンクリートの使用量を大幅に削減することができ、かつ、地盤改良を原則として行う必要がない、直接基礎形式の基礎構造を提供することを課題とする。
【００１５】
なお、「地盤改良を原則として行う必要がない」とは、工事の主たる目的としては地盤改良を行う必要がないという意味であり、主たる工事に付随的に生じる地盤改良まで排除する意味ではない。
【課題を解決するための手段】
【００１６】
本発明は、以下の基礎構造により、前記課題を解決したものである。
【００１７】
即ち、本発明に係る基礎構造の第１の態様は、支持地盤上に設置された直接基礎形式の基礎構造であって、上下方向に貫通する基礎貫通孔を有し、該基礎貫通孔の内面に基礎さや管を有する複数の基礎ブロックと、複数の前記基礎ブロックを上下方向に連結する基礎連結用鋼材と、を備え、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、さらに、前記基礎ブロックの前記基礎さや管と該基礎さや管に差し込まれた前記基礎連結用鋼材とは一体化されており、また、前記基礎連結用鋼材は最上段の前記基礎ブロックの上面よりも上方に突出しており、最上段の前記基礎ブロックの上面よりも上方に突出した前記基礎連結用鋼材の部位は、前記基礎構造の上方に位置する構造物との連結に利用可能なことを特徴とする基礎構造である。
【００１８】
ここで、「直接基礎形式の基礎構造」とは、杭を用いずに支持地盤上に直接設置された基礎構造のことである。
【００１９】
本発明に係る基礎構造の第２の態様は、支持地盤上に設置された直接基礎形式の基礎構造であって、上下方向に貫通する基礎貫通孔を有し、該基礎貫通孔の内面に基礎さや管を有する複数の基礎ブロックと、該複数の基礎ブロックを上下方向に連結する基礎連結用鋼材と、を有する複数の基礎ブロック構造を備え、前記基礎ブロック構造において、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、また、前記基礎ブロック構造において、前記基礎ブロックの前記基礎さや管と該基礎さや管に差し込まれた前記基礎連結用鋼材とは一体化されており、また、前記基礎連結用鋼材は最上段の前記基礎ブロックの上面よりも上方に突出しており、さらに、前記基礎ブロック構造同士はお互いに対向するように、かつ、最下段の前記基礎ブロックの前記張り出した部位同士がお互いに近接して対向するように配置されており、お互いに近接して対向する前記張り出した部位同士の上方には中詰め材が充填されており、最上段の前記基礎ブロックの上面よりも上方に突出した前記基礎連結用鋼材の部位は、前記基礎構造の上方に位置する構造物との連結に利用可能なことを特徴とする基礎構造である。
【００２０】
本発明に係る基礎構造の第３の態様は、支持地盤上に設置された直接基礎形式の基礎構造であって、上下方向に貫通する基礎貫通孔を有し、該基礎貫通孔の内面に基礎さや管を有する複数の基礎ブロックと、複数の前記基礎ブロックを上下方向に連結する基礎連結用鋼材と、を備え、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、さらに、前記基礎ブロックの前記基礎さや管と該基礎さや管に差し込まれた前記基礎連結用鋼材とは一体化されており、また、前記基礎連結用鋼材の上端の高さ位置は、最上段の前記基礎ブロックの上面と同一の高さ位置であるか、あるいは最上段の前記基礎ブロックの上面よりも下方であることを特徴とする基礎構造である。
【００２１】
本発明に係る基礎構造の第４の態様は、支持地盤上に設置された直接基礎形式の基礎構造であって、上下方向に貫通する基礎貫通孔を有し、該基礎貫通孔の内面に基礎さや管を有する複数の基礎ブロックと、該複数の基礎ブロックを上下方向に連結する基礎連結用鋼材と、を有する複数の基礎ブロック構造を備え、前記基礎ブロック構造において、前記基礎ブロックは、前記支持地盤上において前記基礎貫通孔同士が連結するように上下方向に複数積み重ねられ、上下方向に複数積み重ねられた前記基礎ブロックの前記基礎さや管には前記基礎連結用鋼材が差し込まれ、該基礎連結用鋼材は上下方向に複数積み重ねられた前記基礎ブロックの最下段から最上段にまで達しており、また、前記基礎ブロックのうち、最下段の基礎ブロックは水平方向に張り出した部位を有し、また、前記基礎ブロック構造において、前記基礎ブロックの前記基礎さや管と該基礎さや管に差し込まれた前記基礎連結用鋼材とは一体化されており、また、前記基礎連結用鋼材の上端の高さ位置は、最上段の前記基礎ブロックの上面と同一の高さ位置であるか、あるいは最上段の前記基礎ブロックの上面よりも下方であり、さらに、前記基礎ブロック構造同士はお互いに対向するように、かつ、最下段の前記基礎ブロックの前記張り出した部位同士がお互いに近接して対向するように配置されており、お互いに近接して対向する前記張り出した部位同士の上方には中詰め材が充填されていることを特徴とする基礎構造である。
【００２２】
本発明に係る基礎構造の第２、第４の態様において、前記中詰め材を、例えば土および砂のうちの少なくともいずれか一方としてもよい。
【００２３】
前記基礎さや管と該基礎さや管に差し込まれた前記基礎連結用鋼材との間隙にはグラウト材が充填されていることが好ましい。
【００２４】
前記基礎連結用鋼材には例えば鋼管を用いてもよく、また例えばＨ形鋼やＩ形鋼等の形鋼を用いてもよい。
【００２５】
前記基礎連結用鋼材は鋼板からビルドアップして製作してもよい。
【００２６】
本発明に係る基礎構造の第１〜第４の態様において、上下方向に複数積み重ねられた前記基礎ブロックのうちの最下段の基礎ブロックを、上方のみ開口した非貫通孔を有し、該非貫通孔の内面に基礎さや管を有し、かつ、水平方向に張り出した部位を有する基礎ブロックに置き換えてもよい。
【発明の効果】
【００２７】
本発明によれば、原則として地盤改良を行わなくても、現場での生コンクリートの使用量を大幅に削減することができる。また、施工期間の短縮化も図ることができる。
【図面の簡単な説明】
【００２８】
【図１】本発明の第１実施形態に係る基礎構造を示す側面図
【図２】図１のＩＩ−ＩＩ線断面図
【図３】本発明の第１実施形態に係る基礎構造で用いる基礎フーチングブロック１２の断面図
【図４】前記基礎フーチングブロック１２を上方から見た平面図
【図５】前記基礎フーチングブロック１２の断面図
【図６】前記基礎フーチングブロック１２の断面図
【図７】本発明の第１実施形態に係る基礎構造で用いる基礎壁体ブロック１４の断面図
【図８】前記基礎壁体ブロック１４を上方から見た平面図
【図９】本発明の第２実施形態に係る基礎構造を示す側面図
【図１０】本発明の第２実施形態に係る基礎構造で用いる基礎フーチングブロック２２の断面図
【図１１】前記基礎フーチングブロック２２を上方から見た平面図
【図１２】本発明の第３実施形態に係る基礎構造を示す側面図
【図１３】図１２のＸＩＩＩ−ＸＩＩＩ線断面図
【図１４】本発明の第３実施形態に係る基礎構造で用いる基礎フーチングブロック３２の断面図
【図１５】前記基礎フーチングブロック３２を上方から見た平面図
【図１６】本発明の第１実施形態に係る基礎構造を用いた堤体の側面図
【図１７】本発明の第１実施形態に係る基礎構造を用いた堤体の側面図
【図１８】本発明の第３実施形態に係る基礎構造を用いた堤体の側面図
【図１９】本発明の第３実施形態に係る基礎構造を用いた堤体の側面図
【図２０】本発明の第４実施形態に係る基礎構造を示す側面図
【図２１】本発明の第５実施形態に係る基礎構造を示す側面図
【図２２】本発明の第６実施形態に係る基礎構造を示す側面図
【発明を実施するための形態】
【００２９】
以下、図面を参照して、本発明の実施形態に係る基礎構造を詳細に説明する。
【００３０】
（第１実施形態の基礎構造）
図１は本発明の第１実施形態に係る基礎構造を示す側面図（第１実施形態の基礎構造を構成する基礎壁体ブロック１４の長手方向から見た側面図）である。図２は図１のＩＩ−ＩＩ線断面図である。
【００３１】
本第１実施形態の基礎構造１０は、対向するＬ字型の基礎ブロック構造１１の間に中詰め土１８が充填されてなり、支持地盤１上に設けられている。
【００３２】
基礎ブロック構造１１は、基礎フーチングブロック１２と、基礎壁体ブロック１４と、基礎連結用鋼管１６と、を備えており、プレキャスト部材である基礎ブロック（基礎フーチングブロック１２と基礎壁体ブロック１４）が基礎ブロック構造１１の主要な構成部材となっている。基礎ブロック構造１１においては、基礎フーチングブロック１２の上に基礎壁体ブロック１４が３段積み重ねられており、図１に示すように、基礎構造１０を側方（基礎壁体ブロック１４の長手方向）から見ると２つのＬ字型の基礎ブロック構造１１が対向するように（基礎フーチングブロック１２の水平方向に張り出した部位１２Ｃ同士がお互いに近接して対向するように）配置された形状になっている。
【００３３】
基礎ブロック構造１１において基礎フーチングブロック１２の上に基礎壁体ブロック１４が３段積み重ねられているが、基礎フーチングブロック１２の貫通孔および基礎壁体ブロック１４の貫通孔を基礎連結用鋼管１６が上下方向に貫くように配置されており、基礎フーチングブロック１２および基礎壁体ブロック１４は基礎連結用鋼管１６によって一体化されている。
【００３４】
次に、本第１実施形態の基礎構造１０を構成する各部材について説明する。
【００３５】
図３は、基礎フーチングブロック１２の断面図（基礎フーチングさや管１２Ａの中心を通り、かつ、さや管連結鋼材１２Ｂと直交する鉛直面で切断した断面図）であり、図４は基礎フーチングブロック１２を上方から見た平面図である。
【００３６】
基礎フーチングブロック１２は、プレキャスト化されたコンクリート製のフーチング部材で、水平方向に張り出した部位１２Ｃ（以下、単に部位１２Ｃと記すことがある。）を有する受圧面積の広い土台であり、本第１実施形態の基礎構造１０において最下部に位置し、支持地盤１に構造物からの荷重を伝達して、基礎構造１０および基礎構造１０の上方に配置される構造物を安定性よく支持する役割を有する。
【００３７】
基礎フーチングブロック１２は、図３、図４に示すように、厚さが最も厚い部位の両端部に貫通孔１２Ｘを有しており、該貫通孔１２Ｘの内面には基礎フーチングさや管１２Ａを備えている。また、２つの基礎フーチングさや管１２Ａの間にはさや管連結鋼材１２Ｂが配置されていて、このさや管連結鋼材１２Ｂの両端部は２つの基礎フーチングさや管１２Ａの外面に溶接により取り付けられており、２つの基礎フーチングさや管１２Ａはさや管連結鋼材１２Ｂを介して一体化されている。
【００３８】
なお、図３では、基礎フーチングさや管１２Ａの下端位置は、基礎フーチングブロック１２の下面と同じ高さ位置となるようにし、基礎フーチングさや管１２Ａの上端位置は、基礎フーチングブロック１２の上面と同じ高さ位置となるようにしているが、図５、図６に示すように、基礎フーチングさや管１２Ａの下端位置は、基礎フーチングブロック１２の下面よりも上方に位置してもよく、また、基礎フーチングさや管１２Ａの上端位置は基礎フーチングブロック１２の上面よりも下方に位置してもよい。即ち、基礎フーチングさや管１２Ａは基礎フーチングブロック１２の貫通孔１２Ｘの内面を全面覆っていなくてもよい。基礎フーチングさや管１２Ａの腐食を防止する観点からは、基礎フーチングさや管１２Ａの下端位置は、基礎フーチングブロック１２の下面よりも上方に位置した方が好ましく、基礎フーチングさや管１２Ａの上端位置は、基礎フーチングブロック１２の上面よりも下方に位置した方が好ましい。即ち、基礎フーチングさや管１２Ａが外界に暴露しないようにある程度のかぶりを設けておくことが好ましい。
【００３９】
また、図５は、基礎フーチングブロック１２の貫通孔１２Ｘの内面に基礎フーチングさや管１２Ａの厚さの分だけ凹部を生じさせ、貫通孔１２Ｘの内面に基礎フーチングさや管１２Ａを取り付けた状態で、貫通孔１２Ｘの内面に見かけ上段差がなくなるようにした場合であり、図６は、貫通孔１２Ｘの内面に凹部を設けず、貫通孔１２Ｘの内面に基礎フーチングさや管１２Ａを取り付けた状態で、貫通孔１２Ｘの内面に基礎フーチングさや管１２Ａの厚さの分だけ見かけ上段差が生じている場合である。本明細書では、図３、図５、図６の全ての場合、即ち、貫通孔１２Ｘの内面全面を基礎フーチングさや管１２Ａが覆っている場合（図３の場合）、貫通孔１２Ｘの内面全面が基礎フーチングさや管１２Ａで覆われていない場合（図５、図６の場合）、貫通孔１２Ｘの内面に見かけ上段差がない場合（図３、図５の場合）、見かけ上段差がある場合（図６の場合）のいずれの場合も、貫通孔１２Ｘの内面に基礎フーチングさや管１２Ａを備えているものとする。
【００４０】
また、基礎フーチングさや管１２Ａは、基礎フーチングブロック１２のコンクリート打設時には貫通孔１２Ｘ形成のための型枠の役割を果たし、基礎フーチングさや管１２Ａの外面はコンクリート打設と同時に基礎フーチングブロック１２に埋め込まれ、（さや管連結鋼材１２Ｂの寄与を考えなければ）コンクリートとの付着力により、基礎フーチングブロック１２と一体化している。換言すれば、さや管連結鋼材１２Ｂの寄与を考えなければ、基礎フーチングさや管１２Ａはコンクリートとの付着力により貫通孔１２Ｘの内面へ取り付けられている。コンクリートとの付着力を向上させる点で、基礎フーチングさや管１２Ａの外面にはずれ止め（シアキー）を設けることが好ましい。ずれ止め（シアキー）としては、例えば丸鋼、溶接ビード、角鋼等を用いることができる。
【００４１】
また、基礎フーチングさや管１２Ａの材質は特に限定されず、所定以上の強度、弾性率、およびグラウト材との所定以上の接着力等を有する材料であればよく、例えば鉄鋼材料を好適に用いることができる。
【００４２】
なお、２つの基礎フーチングさや管１２Ａ同士をさや管連結鋼材１２Ｂによって連結しなくても安全性が確保できるのであれば、さや管連結鋼材１２Ｂは設けなくてもよい。ただし、２つの基礎フーチングさや管１２Ａ同士をさや管連結鋼材１２Ｂによって連結した方が、基礎フーチングブロック１２の断面のコンパクト化を図ることができ、基礎フーチングブロック１２の重量を軽減することができる。
【００４３】
図７は基礎壁体ブロック１４の断面図（基礎壁体さや管１４Ａの中心を通り、かつ、さや管連結鋼材１４Ｂと平行な鉛直面で切断した断面図）であり、図８は基礎壁体ブロック１４を上方から見た平面図である。
【００４４】
基礎壁体ブロック１４は、プレキャスト化されたコンクリート製の細長い直方体状の部材であり、本第１実施形態に係る基礎構造１０において基礎フーチングブロック１２の上方に配置されて、基礎構造１０の壁体（基礎ブロック構造１１の壁体）を形成し、基礎構造１０の上方に配置される構造物から伝達される荷重を直接的に支持して、その荷重を基礎フーチングブロック１２を介して支持地盤１に伝達する役割を有する。
【００４５】
基礎壁体ブロック１４は、図７、図８に示すように、両端部に貫通孔１４Ｘを有しており、該貫通孔１４Ｘの内面には基礎壁体さや管１４Ａを備えている。また、２つの基礎壁体さや管１４Ａの間にはさや管連結鋼材１４Ｂが配置されていて、このさや管連結鋼材１４Ｂの両端部は２つの基礎壁体さや管１４Ａの外面に溶接により取り付けられており、２つの基礎壁体さや管１４Ａはさや管連結鋼材１４Ｂを介して一体化されている。
【００４６】
基礎壁体ブロック１４は、その基礎壁体さや管１４Ａの中心が基礎フーチングブロック１２の基礎フーチングさや管１２Ａの中心と一致するように基礎フーチングブロック１２の上に重ねられ、さらに、その基礎壁体ブロック１４の上には、基礎壁体さや管１４Ａの中心同士が一致するように基礎壁体ブロック１４が必要な段数だけ重ねられている。
【００４７】
そのように重ねられて上下方向に連なった基礎フーチングさや管１２Ａおよび基礎壁体さや管１４Ａの内側には、基礎連結用鋼管１６が上下方向に貫くように配置されており、さらに、基礎フーチングさや管１２Ａおよび基礎壁体さや管１４Ａと基礎連結用鋼管１６との間隙にはグラウト材が充填されており、基礎フーチングブロック１２および基礎壁体ブロック１４は基礎連結用鋼管１６およびグラウト材を介して一体化されている。
【００４８】
なお、図７では、基礎壁体さや管１４Ａの下端位置は、基礎壁体ブロック１４の下面と同じ高さ位置となるようにし、基礎壁体さや管１４Ａの上端位置は、基礎壁体ブロック１４の上面と同じ高さ位置となるようにしているが、図５、図６に示した基礎フーチングさや管１２Ａの場合と同様に、基礎壁体さや管１４Ａにおいても、基礎壁体さや管１４Ａの下端位置は、基礎壁体ブロック１４の下面よりも上方に位置してもよく、また、基礎壁体さや管１４Ａの上端位置は基礎壁体ブロック１４の上面よりも下方に位置してもよい。即ち、基礎壁体さや管１４Ａは基礎壁体ブロック１４の貫通孔１４Ｘの内面を全面覆っていなくてもよい。基礎壁体さや管１４Ａの腐食を防止する観点からは、基礎壁体さや管１４Ａの下端位置は、基礎壁体ブロック１４の下面よりも上方に位置した方が好ましく、基礎壁体さや管１４Ａの上端位置は、基礎壁体ブロック１４の上面よりも下方に位置した方が好ましい。即ち、基礎壁体さや管１４Ａが外界に暴露しないようにある程度のかぶりを設けておくことが好ましい。
【００４９】
また、図３、図５、図６に示した基礎フーチングさや管１２Ａの場合と同様に、基礎壁体さや管１４Ａにおいても、貫通孔１４Ｘの内面全面を基礎壁体さや管１４Ａが覆っている場合、貫通孔１４Ｘの内面全面が基礎壁体さや管１４Ａで覆われていない場合、貫通孔１４Ｘの内面に見かけ上段差がない場合、見かけ上段差がある場合のいずれの場合も、貫通孔１４Ｘの内面に基礎壁体さや管１４Ａを備えているものとする。
【００５０】
また、基礎壁体さや管１４Ａは、基礎壁体ブロック１４のコンクリート打設時には貫通孔１４Ｘ形成のための型枠の役割を果たし、基礎壁体さや管１４Ａの外面はコンクリート打設と同時に基礎壁体ブロック１４に埋め込まれ、（さや管連結鋼材１４Ｂの寄与を考えなければ）コンクリートとの付着力により、基礎壁体ブロック１４と一体化している。換言すれば、さや管連結鋼材１４Ｂの寄与を考えなければ、基礎壁体さや管１４Ａはコンクリートとの付着力により貫通孔１４Ｘの内面へ取り付けられている。コンクリートとの付着力を向上させる点で、基礎壁体さや管１４Ａの外面にはずれ止め（シアキー）を設けることが好ましい。ずれ止め（シアキー）としては、例えば丸鋼、溶接ビード、角鋼等を用いることができる。
【００５１】
また、基礎壁体さや管１４Ａの材質は特に限定されず、所定以上の強度、弾性率、およびグラウト材との所定以上の接着力等を有する材料であればよく、例えば鉄鋼材料を好適に用いることができる。
【００５２】
なお、２つの基礎壁体さや管１４Ａ同士をさや管連結鋼材１４Ｂによって連結しなくても安全性が確保できるのであれば、さや管連結鋼材１４Ｂは設けなくてもよい。ただし、２つの基礎壁体さや管１４Ａ同士をさや管連結鋼材１４Ｂによって連結した方が、基礎壁体ブロック１４の断面のコンパクト化を図ることができ、基礎壁体ブロック１４の重量を軽減することができる。
【００５３】
基礎連結用鋼管１６は、円筒状の鋼管であり、上下方向に重ねられた基礎フーチングさや管１２Ａおよび基礎壁体さや管１４Ａの内側に上下方向に貫くように配置されて、基礎フーチングブロック１２および基礎壁体ブロック１４を一体化する役割を有する。前述したように、基礎フーチングさや管１２Ａおよび基礎壁体さや管１４Ａと基礎連結用鋼管１６との間隙にはグラウト材が充填されており、これにより基礎フーチングブロック１２および基礎壁体ブロック１４は基礎連結用鋼管１６およびグラウト材を介して一体化されている。
【００５４】
また、基礎連結用鋼管１６の上端部は、図１に示すように、最上段の基礎壁体ブロック１４の上面よりもさらに上方にまで伸びている。最上段の基礎壁体ブロック１４の上面よりもさらに上方にまで伸びた基礎連結用鋼管１６の部位は、基礎構造１０の上方に配置される構造物との連結に活用することができる。
【００５５】
なお、基礎連結用鋼管１６は一体的に成形されたものでなくてもよく、現場で溶接等により連結して必要な長さを確保するようにしてもよい。また、必要な耐力および剛性が確保できるのであれば、高さ位置に応じて基礎連結用鋼管１６の管径や中心の位置を変動させてもよい。
【００５６】
また、本第１実施形態の基礎構造１０では、基礎フーチングブロック１２および基礎壁体ブロック１４を連結して一体化するために基礎連結用鋼管１６を用いたが、基礎フーチングブロック１２および基礎壁体ブロック１４を必要な耐力および剛性を確保して一体化できる素材であれば、鋼管に限定されず、基礎連結用鋼管１６に替えて例えばＨ形鋼等の形鋼を用いることもできる。また、鋼板からビルドアップして製作されている鋼材を用いることも可能である。
【００５７】
中詰め土１８は、図１に示すように、対向する基礎ブロック構造１１の間の空間（基礎フーチングブロック１２および基礎壁体ブロック１４によって下方と側方を囲まれた空間であり、お互いに近接して対向する水平方向に張り出した部位１２Ｃ同士の上方。）に充填されており、基礎構造１０と一体となって動く。このため、中詰め土１８の重量も、基礎構造１０および基礎構造１０の上方に配置される構造物の滑動や転倒を防ぐことに寄与する。
【００５８】
また、中詰め土１８は、現地にて床掘りした土を用いることができるので、本第１実施形態の基礎構造１０は、低コスト化、省資源、および廃棄物の削減に有効な構造である。
【００５９】
なお、本第１実施形態の基礎構造１０では、対向して配置されている基礎ブロック構造１１の下面（最下段の基礎フーチングブロック１２の下面）の位置が同一の高さ位置になっているが、地形等の条件によっては、基礎ブロック構造１１の下面（最下段の基礎フーチングブロック１２の下面）の位置は必ずしも同一の高さ位置になっていなくてもよい。この場合、基礎壁体ブロック１４の段数を変えたり、あるいは基礎壁体ブロック１４自体の高さを変えること等によって対応をすることができる。
【００６０】
また、本第１実施形態の基礎構造１０においては、２つのＬ字型の基礎ブロック構造１１が対向するように配置されているが、例えば上部構造として壁体を海側の基礎ブロック構造１１の真上に設ける場合で、安全性が確保できる場合には、陸側の基礎ブロック構造１１を省略し、海側の基礎ブロック構造１１が１列に並んだ構造（海側の基礎ブロック構造１１が壁面１１Ａと平行な水平方向に１列に並んだ構造）としてもよい。
【００６１】
（第２実施形態の基礎構造）
図９は本発明の第２実施形態に係る基礎構造を示す側面図（第２実施形態の基礎構造を構成する基礎壁体ブロック１４の長手方向から見た側面図）である。
【００６２】
本第２実施形態の基礎構造２０は、対向する逆Ｔ字型の基礎ブロック構造２１の間に中詰め土１８が充填されてなり、支持地盤１上に設けられている。基礎ブロック構造２１は、基礎フーチングブロック２２と、基礎壁体ブロック１４と、基礎連結用鋼管１６と、を備えている。
【００６３】
また、本第２実施形態の基礎構造２０は、基礎壁体ブロック１４の長手方向（基礎構造２０の基礎ブロック構造２１の壁面２１Ａと平行な水平方向であり、図９において紙面と直交する方向）に延びている。
【００６４】
先に説明した第１実施形態の基礎構造１０で用いた基礎フーチングブロック１２においては、フーチングは片側のみ水平方向に張り出していたが（部位１２Ｃ）、本第２実施形態の基礎構造２０で用いる基礎フーチングブロック２２は水平方向に張り出した部位２２Ｃ、２２Ｄを有しており、フーチングが両側の水平方向に張り出している。この点以外は、第１実施形態の基礎構造１０と同様であり、第１実施形態の基礎構造１０と同様の部材には同一の番号を付し、説明は原則として省略する。
【００６５】
図１０は本第２実施形態の基礎構造２０で用いる基礎フーチングブロック２２の断面図（基礎フーチングさや管２２Ａの中心を通り、かつ、さや管連結鋼材２２Ｂと直交する鉛直面で切断した断面図）であり、図１１は基礎フーチングブロック２２を上方から見た平面図である。
【００６６】
基礎フーチングブロック２２は、第１実施形態の基礎フーチングブロック１２と同様、プレキャスト化されたコンクリート製のフーチング部材で、水平方向に張り出した部位２２Ｃ、２２Ｄを有する受圧面積の広い土台であり、本第２実施形態の基礎構造２０において最下部に位置し、支持地盤１に構造物からの荷重を伝達して、基礎構造２０および基礎構造２０の上方に配置される構造物を安定性よく支持する役割を有する。
【００６７】
基礎フーチングブロック２２における貫通孔、さや管およびさや管連結鋼材の配置位置は、第１実施形態の基礎フーチングブロック１２における貫通孔、さや管およびさや管連結鋼材と同様の位置であり、図１０、図１１に示すように、厚さが最も厚い部位の両端部に貫通孔２２Ｘを有しており、該貫通孔２２Ｘの内面には基礎フーチングさや管２２Ａを備えている。また、２つの基礎フーチングさや管２２Ａの間にはさや管連結鋼材２２Ｂが配置されていて、このさや管連結鋼材２２Ｂの両端部は２つの基礎フーチングさや管２２Ａの外面に溶接により取り付けられており、２つの基礎フーチングさや管２２Ａはさや管連結鋼材２２Ｂを介して一体化されている。
【００６８】
なお、図１０では、基礎フーチングさや管２２Ａの下端位置は、基礎フーチングブロック２２の下面と同じ高さ位置となるようにし、基礎フーチングさや管２２Ａの上端位置は、基礎フーチングブロック２２の上面と同じ高さ位置となるようにしているが、図５、図６に示した基礎フーチングさや管１２Ａの場合と同様に、基礎フーチングさや管２２Ａにおいても、基礎フーチングさや管２２Ａの下端位置は、基礎フーチングブロック２２の下面よりも上方に位置してもよく、また、基礎フーチングさや管２２Ａの上端位置は基礎フーチングブロック２２の上面よりも下方に位置してもよい。即ち、基礎フーチングさや管２２Ａは基礎フーチングブロック２２の貫通孔２２Ｘの内面を全面覆っていなくてもよい。基礎フーチングさや管２２Ａの腐食を防止する観点からは、基礎フーチングさや管２２Ａの下端位置は、基礎フーチングブロック２２の下面よりも上方に位置した方が好ましく、基礎フーチングさや管２２Ａの上端位置は、基礎フーチングブロック２２の上面よりも下方に位置した方が好ましい。即ち、基礎フーチングさや管２２Ａが外界に暴露しないようにある程度のかぶりを設けておくことが好ましい。
【００６９】
また、図３、図５、図６に示した基礎フーチングさや管１２Ａの場合と同様に、基礎フーチングさや管２２Ａにおいても、貫通孔２２Ｘの内面全面を基礎フーチングさや管２２Ａが覆っている場合、貫通孔２２Ｘの内面全面が基礎フーチングさや管２２Ａで覆われていない場合、貫通孔２２Ｘの内面に見かけ上段差がない場合、見かけ上段差がある場合のいずれの場合も、貫通孔２２Ｘの内面に基礎フーチングさや管２２Ａを備えているものとする。
【００７０】
また、基礎フーチングさや管２２Ａは、基礎フーチングブロック２２のコンクリート打設時には貫通孔２２Ｘ形成のための型枠の役割を果たし、基礎フーチングさや管２２Ａの外面はコンクリート打設と同時に基礎フーチングブロック２２に埋め込まれ、（さや管連結鋼材２２Ｂの寄与を考えなければ）コンクリートとの付着力により、基礎フーチングブロック２２と一体化している。換言すれば、さや管連結鋼材２２Ｂの寄与を考えなければ、基礎フーチングさや管２２Ａはコンクリートとの付着力により貫通孔２２Ｘの内面へ取り付けられている。コンクリートとの付着力を向上させる点で、基礎フーチングさや管２２Ａの外面にはずれ止め（シアキー）を設けることが好ましい。ずれ止め（シアキー）としては、例えば丸鋼、溶接ビード、角鋼等を用いることができる。
【００７１】
また、基礎フーチングさや管２２Ａの材質は特に限定されず、所定以上の強度、弾性率、およびグラウト材との所定以上の接着力等を有する材料であればよく、例えば鉄鋼材料を好適に用いることができる。
【００７２】
基礎フーチングブロック２２は水平方向に張り出した部位２２Ｃ、２２Ｄを有しており、フーチングが両側の水平方向に張り出しているので、受圧面積が広くなっている。このため、基礎構造２０の上方に配置される構造物に作用する外力が大きい場合において好適な部材となる。
【００７３】
なお、本第２実施形態の基礎構造２０では、対向して配置されている基礎ブロック構造２１の下面（最下段の基礎フーチングブロック２２の下面）の位置が同一の高さ位置になっているが、地形等の条件によっては、基礎ブロック構造２１の下面（最下段の基礎フーチングブロック２２の下面）の位置は必ずしも同一の高さ位置になっていなくてもよい。この場合、基礎壁体ブロック１４の段数を変えたり、あるいは基礎壁体ブロック１４自体の高さを変えること等によって対応をすることができる。
【００７４】
また、本第２実施形態の基礎構造２０においては、２つの逆Ｔ字型の基礎ブロック構造２１が対向するように配置されているが、上部構造の壁体を海側の基礎ブロック構造２１の真上に設ける場合で、安全性が確保できる場合には、陸側の基礎ブロック構造２１を省略し、海側の基礎ブロック構造２１が１列に並んだ構造（海側の基礎ブロック構造２１が壁面２１Ａと平行な水平方向に１列に並んだ構造）としてもよい。
【００７５】
（第３実施形態の基礎構造）
図１２は本発明の第３実施形態に係る基礎構造を示す側面図（第３実施形態の基礎構造を構成する基礎壁体ブロック１４の長手方向から見た側面図）である。図１３は図１２のＸＩＩＩ−ＸＩＩＩ線断面図である。
【００７６】
本第３実施形態の基礎構造３０は、対向する逆Ｔ字型の基礎ブロック構造３１の間に中詰め土１８が充填されてなり、支持地盤１上に設けられている。基礎ブロック構造３１は、基礎フーチングブロック３２と、基礎壁体ブロック１４と、基礎連結用鋼管１６と、備えている。
【００７７】
先に説明した第１実施形態の基礎構造１０で用いた基礎フーチングブロック１２においては、フーチングは片側のみに張り出していたが（部位１２Ｃ）、本第３実施形態の基礎構造３０で用いる基礎フーチングブロック３２は水平方向に張り出した部位３２Ｃ、３２Ｄ（以下、単に部位３２Ｃ、３２Ｄと記すことがある。）を有しており、一方の側（部位３２Ｃ）だけでなく他方の側（部位３２Ｄ）もわずかであるがフーチングが張り出している。
【００７８】
また、本第３実施形態の基礎構造３０においては、基礎フーチングブロック３２の上方に基礎壁体ブロック１４が３段積まれてなるＬ字状の構造物である基礎ブロック構造物３１が、図１２に示すように背中合わせに配置されており、このような背中合わせに配置された基礎ブロック構造物３１が、本第３実施形態の基礎構造３０の基礎壁体ブロック１４の長手方向と直交する方向（基礎構造３０の基礎ブロック構造３１の壁面３１Ａと直交する方向であり、図１２、図１３において紙面と平行な左右方向。）に多数配置されている。
【００７９】
第１、第２実施形態の基礎構造１０、２０の上方に堤体を設置する場合、設置する堤体の法線方向（設置する堤体の延びる方向）は、それぞれ基礎構造１０、２０の延びる方向（基礎構造１０、２０の基礎壁体ブロック１４の長手方向（基礎構造１０、２０の基礎ブロック構造１１、２１の壁面１１Ａ、２１Ａと平行な水平方向）であり、図１、図９において紙面と直交する方向。）であったが、本第３実施形態の基礎構造３０の上方に堤体を設置する場合、設置する堤体の法線方向（設置する堤体の延びる方向）は、基礎構造３０の基礎壁体ブロック１４の長手方向と直交する水平方向（基礎構造３０の基礎ブロック構造３１の壁面３１Ａと直交する方向）であり、図１２、図１３において紙面と平行な左右方向である。
【００８０】
なお、本第３実施形態の基礎構造３０においては、図１２に示すように、背中合わせに配置された基礎壁体ブロック１４同士の間にもわずかに隙間があるが、この隙間にも中詰め土１８が充填されている。この中詰め土１８の重量も、基礎構造３０および基礎構造３０の上方に配置される構造物の滑動や転倒を防ぐことに寄与する。
【００８１】
以上の点以外は、基礎構造３０を構成する各部材は、第１実施形態の基礎構造１０と同様であり、第１実施形態の基礎構造１０と同様の部材には同一の番号を付し、説明は原則として省略する。
【００８２】
図１４は本第３実施形態の基礎構造３０で用いる基礎フーチングブロック３２の断面図（基礎フーチングさや管３２Ａの中心を通り、かつ、さや管連結鋼材３２Ｂと直交する鉛直面で切断した断面図）であり、図１５は基礎フーチングブロック３２を上方から見た平面図である。
【００８３】
基礎フーチングブロック３２は、第１実施形態の基礎フーチングブロック１２と同様、プレキャスト化されたコンクリート製のフーチング部材で、水平方向に張り出した部位３２Ｃ、３２Ｄを有する受圧面積の広い土台であり、本第３実施形態の基礎構造３０において最下部に位置し、支持地盤１に構造物からの荷重を伝達して、基礎構造３０および基礎構造３０の上方に配置される構造物を安定性よく支持する役割を有する。
【００８４】
基礎フーチングブロック３２における貫通孔、さや管およびさや管連結鋼材の形状、配置位置は、第１実施形態の基礎フーチングブロック１２における貫通孔、さや管およびさや管連結鋼材と同様であり、図１４、図１５に示すように、厚さが最も厚い部位の両端部に貫通孔３２Ｘを有しており、該貫通孔３２Ｘの内面には基礎フーチングさや管３２Ａを備えている。また、２つの基礎フーチングさや管３２Ａの間にはさや管連結鋼材３２Ｂが配置されていて、このさや管連結鋼材３２Ｂの両端部は２つの基礎フーチングさや管３２Ａの外面に溶接により取り付けられており、２つの基礎フーチングさや管３２Ａはさや管連結鋼材３２Ｂを介して一体化されている。
【００８５】
基礎フーチングブロック３２は、一方の側（部位３２Ｃ）だけでなく、他方の側（部位３２Ｄ）にもフーチングがわずかに張り出しているので、図１２に示すように、背中合わせになる基礎壁体ブロック１４同士の間に隙間が生じる。このため、基礎壁体ブロック１４の取り付け位置が施工時にわずかにずれてしまったとしても（基礎壁体ブロック１４の基礎壁体さや管１４Ａの中心の位置が、それよりも下方に位置する基礎フーチングブロック３２の基礎フーチングさや管３２Ａまたは基礎壁体ブロック１４の基礎壁体さや管１４Ａの中心の位置からわずかにずれてしまったとしても）、基礎壁体ブロック１４同士は干渉せず、施工を良好に行いやすくなる。また、背中合わせになる基礎壁体ブロック１４同士の間に隙間が生じることを許容することにより、基礎壁体ブロック１４を適宜必要な大きさにまで小型化しやすくなり、軽量化しやすくなる。
【００８６】
ただし、本第３実施形態の基礎構造３０において、背中合わせになる基礎壁体ブロック１４同士の間に隙間を設けることは必須ではない。背中合わせになる基礎壁体ブロック１４同士の間に隙間を設けない場合には、基礎フーチングブロック３２に替えて、第１実施形態で用いた基礎フーチングブロック１２を用いて本第３実施形態のように配置すればよい。
【００８７】
なお、本第３実施形態の基礎構造３０では、基礎ブロック構造３１の壁面３１Ａと直交する方向に多数配置されている基礎ブロック構造３１の下面（最下段の基礎フーチングブロック３２の下面）の位置が同一の高さ位置になっているが、地形等の条件によっては、基礎ブロック構造３１の下面（最下段の基礎フーチングブロック３２の下面）の位置は必ずしも同一の高さ位置になっていなくてもよい。この場合、基礎壁体ブロック１４の段数を変えたり、あるいは基礎壁体ブロック１４自体の高さを変えること等によって対応をすることができる。
【００８８】
また、本第３実施形態の基礎構造３０の上方に堤体を設置する場合、設置する堤体の法線方向（設置する堤体の延びる方向）は、本第３実施形態の基礎構造３０の基礎壁体ブロック１４の長手方向と直交する水平方向（基礎構造３０の基礎ブロック構造３１の壁面３１Ａと直交する方向であり、図１２、図１３において紙面と平行な左右方向。）となる。
【００８９】
なお、以上説明した第１〜第３実施形態の基礎構造１０、２０、３０では、基礎連結用鋼管１６、基礎フーチングさや管１２Ａ、２２Ａ、３２Ａおよび基礎壁体さや管１４Ａに対しては、それぞれ円筒状の鋼管を用いたが、必ずしも円筒状の鋼管でなくてもよく、例えば断面が矩形状の鋼管であってもよい。
【００９０】
なお、第１〜第３実施形態に係る基礎構造１０、２０、３０においては、基礎フーチングブロック１２、２２、３２および基礎壁体ブロック１４を連結するための部材として基礎連結用鋼管１６を用いたが、基礎フーチングブロック１２、２２、３２および基礎壁体ブロック１４を必要な耐力および剛性を確保して一体化できる素材であれば、鋼管に限定されず、基礎連結用鋼管１６に替えて例えばＨ形鋼等の形鋼を用いることもできる。また、鋼板からビルドアップして製作されている鋼材を用いることも可能である。
【００９１】
基礎フーチングブロック１２、２２、３２および基礎壁体ブロック１４の連結にＨ形鋼を用いる場合には、基礎フーチングさや管１２Ａ、２２Ａ、３２Ａおよび基礎壁体さや管１４Ａとして、円筒状の鋼管よりも断面が矩形状の鋼管を用いる方が好ましい。円筒状の鋼管にＨ形の鋼材を差し込む場合、Ｈ形の鋼材の桁高を大きくするとＨ形の鋼材のフランジ幅を小さくする必要があり、Ｈ形の鋼材のフランジ幅を大きくするとＨ形の鋼材の桁高を小さくする必要があるので、Ｈ形の鋼材を連結用に用いる場合には、基礎フーチングさや管１２Ａ、２２Ａ、３２Ａおよび基礎壁体さや管１４Ａとして、断面が矩形状の鋼管を用いた方が経済的な設計が行いやすい。
【００９２】
以上、本発明の実施形態に係る基礎構造１０、２０、３０を説明してきたが、基礎フーチングブロック１２、２２、３２において、貫通孔１２Ｘ、２２Ｘ、３２Ｘを設けることに替えて、下端が閉塞されている非貫通孔（上方のみ開口している非貫通孔）にしてもよい。
【００９３】
また、第１〜第３実施形態の基礎構造１０、２０、３０では、中詰め材として中詰め土１８を用いたが、中詰め材として用いることができる材料は土に限定されるわけではなく、砂であってもよく、また、土と砂の混合物であってもよい。さらに、土や砂以外の材料であってもよく、例えば鉄鋼スラグ、非鉄金属スラグ（銅スラグ等）やコンクリートがら等を用いることもできる。
【００９４】
また、基礎構造１０、２０、３０で用いるプレキャスト部材（基礎フーチングブロック１２、２２、３２、基礎壁体ブロック１４）の製作は、運搬の手間を少なくするため、現地近傍で行うのがよい。また、本実施形態で用いるプレキャスト部材の重量は例えば２０ｔ程度を目安とすることができる。
【００９５】
（第１〜第３実施形態の基礎構造を用いた堤体）
第１実施形態の基礎構造１０を基礎構造として用いた堤体の例として、基礎構造１０を備えた堤体４０および堤体５０をそれぞれ図１６、図１７に示しておく。第１実施形態の基礎構造１０を基礎構造として用いた堤体４０、５０の上部構造４２、５２が延びる方向は、基礎構造１０の基礎ブロック構造１１の壁面１１Ａと平行な水平方向（基礎壁体ブロック１４の長手方向であり、図１６、図１７において紙面と直交する方向）である。なお、図１６、図１７は、それぞれ堤体４０および堤体５０の側面図（基礎構造１０の基礎ブロック構造１１の壁面１１Ａと平行な水平方向から見た側面図）である。ただし、図１６、図１７では図示をわかりやすくする都合上、本来は見えない内部の構造を記載した箇所もあり、当該箇所では、本来隠れ線として破線で記載すべき線も実線で記載している箇所もある。
【００９６】
なお、堤体４０および堤体５０において、基礎構造１０に替えて基礎構造２０を用いることもでき、設計条件に応じて適宜選択することができる。
【００９７】
次に、本第３実施形態の基礎構造３０を基礎構造として用いた堤体の例として、基礎構造３０を備えた堤体６０および堤体７０をそれぞれ図１８、図１９に示しておく。本第３実施形態の基礎構造３０を基礎構造として用いた堤体６０、７０の上部構造６２、７２が延びる方向は、基礎構造３０の基礎ブロック構造３１の壁面３１Ａと直交する方向（基礎壁体ブロック１４の長手方向と直交する水平方向であり、図１８、図１９において紙面と直交する方向）である。
【００９８】
上部構造４２は、プレキャスト化されたフーチング４４と、プレキャスト化された壁体４６と、を有してなり、上部構造４２のフーチング４４および壁体４６が、基礎連結用鋼管１６を介して基礎構造１０と連結されて一体化している。
【００９９】
また、上部構造６２は、プレキャスト化されたフーチング６４と、プレキャスト化された壁体６６と、を有してなり、上部構造６２のフーチング６４および壁体６６が、基礎連結用鋼管１６を介して基礎構造３０と連結されて一体化している。
【０１００】
堤体４０、６０においては、海側の基礎連結用鋼管１６は陸側の基礎連結用鋼管１６よりも長さが長く、海側の基礎連結用鋼管１６は上部構造４２、６２の最上段の壁体４６、６６の天端付近に達しており、海側の基礎連結用鋼管１６は、フーチング４４、６４を基礎構造１０、３０に連結するだけでなく、壁体４６、６６をフーチング４４、６４に連結する役割も担っている。
【０１０１】
一方、堤体５０においては、海側の基礎連結用鋼管１６と陸側の基礎連結用鋼管１６の長さは同等であり、海側の基礎連結用鋼管１６の上端部は上部構造５２のフーチング５４の上面よりも上方に突出していない。このため、基礎連結用鋼管１６は、上部構造５２のフーチング５４を基礎構造１０に連結する連結する役割は担っているが、フーチング５４と壁体５６とを連結する役割は担っていない。上部構造５２において、フーチング５４と壁体５６との連結は壁体連結用鋼管５８によってなされている。
【０１０２】
また、堤体７０においても堤体５０と同様に、海側の基礎連結用鋼管１６と陸側の基礎連結用鋼管１６の長さは同等であり、海側の基礎連結用鋼管１６の上端部は上部構造７２のフーチング７４の上面よりも上方に突出していない。このため、基礎連結用鋼管１６は、上部構造７２のフーチング７４を基礎構造３０に連結する連結する役割は担っているが、フーチング７４と壁体７６とを連結する役割は担っていない。上部構造７２において、フーチング７４と壁体７６との連結は壁体連結用鋼管７８によってなされている。
【０１０３】
なお、第２実施形態の基礎構造２０を基礎構造として用いた堤体の上部構造が延びる方向は、第１実施形態の基礎構造１０を基礎構造として用いた堤体４０、５０と同様であり、基礎構造２０の基礎ブロック構造２１の壁面２１Ａと平行な水平方向（基礎壁体ブロック１４の長手方向）である。
【０１０４】
（第４、第５、第６実施形態の基礎構造）
第１、第２、第３実施形態の基礎構造１０、２０、３０では、基礎連結用鋼管１６の上端部は、それぞれ図１、図９、図１２に示すように、最上段の基礎壁体ブロック１４の上面よりもさらに上方にまで伸びている。
【０１０５】
これに対し、第４、第５、第６実施形態の基礎構造３４、３６、３８においては、それぞれ図２０、図２１、図２２に示すように、基礎連結用鋼管１７の上端の高さ位置は、最上段の基礎壁体ブロック１４の上面と同一の高さ位置であるか、あるいは最上段の前記基礎壁体ブロック１４の上面よりも下方の高さ位置である。即ち、第４、第５、第６実施形態の基礎構造３４、３６、３８は、それぞれ図２０、図２１、図２２に示すように、基礎構造１０、２０、３０において、基礎連結用鋼管１６を、基礎連結用鋼管１６よりも上端部の高さ位置が低い基礎連結用鋼管１７に変更した基礎構造であり、基礎連結用鋼管の上端部が最上段の基礎壁体ブロック１４の上面よりも上方に達していない構成に変更した基礎構造である。この点以外は、第４、第５、第６実施形態の基礎構造３４、３６、３８の構成は、第１、第２、第３実施形態の基礎構造１０、２０、３０と同様であるので、同様の構成には同一の符号を付し、説明は省略する。
【０１０６】
第４、第５、第６実施形態の基礎構造３４、３６、３８では、基礎連結用鋼管１７の上端部が最上段の基礎壁体ブロック１４の上面よりも上方に突出していないため、基礎連結用鋼管１７を基礎構造３４、３６、３８の上方に位置する構造物との連結に利用することは困難である。
【０１０７】
しかし、基礎構造から伸びてきている鋼材を基礎構造との連結に利用しない従来のプレキャスト部材を用いて構造物を構築する工法や、現地で生コンクリートを打設して構造物を構築する従来の工法に対しては、第４、第５、第６実施形態の基礎構造３４、３６、３８を好適に用いることができる。
【０１０８】
（第１〜第６実施形態に係る基礎構造の効果）
以上説明してきたように、本発明の第１〜第６実施形態に係る基礎構造は、プレキャスト部材が鋼材で連結されて構成されている。
【０１０９】
このため、本発明の実施形態に係る基礎構造を設置するにあたり、基礎コンクリートを現場で打設することおよび地盤改良を行うことは、原則として必要ではない。このため、本発明の実施形態に係る基礎構造を用いることにより、原則として地盤改良を行わなくても、現場での生コンクリートの使用量を大幅に削減することができる。また、施工期間の短縮化も図ることができる。
【符号の説明】
【０１１０】
１…支持地盤
１０、２０、３０、３４、３６、３８…基礎構造
１１、２１、３１…基礎ブロック構造
１１Ａ、２１Ａ、３１Ａ…基礎ブロック構造の壁面
１２、２２、３２…基礎フーチングブロック
１２Ａ、２２Ａ、３２Ａ…基礎フーチングさや管
１２Ｂ、２２Ｂ、３２Ｂ…さや管連結鋼材
１２Ｃ、２２Ｃ、２２Ｄ、３２Ｃ、３２Ｄ…水平方向に張り出した部位
１２Ｘ、２２Ｘ、３２Ｘ…貫通孔
１４…基礎壁体ブロック
１４Ａ…基礎壁体さや管
１４Ｂ…さや管連結鋼材
１４Ｘ…貫通孔
１６、１７…基礎連結用鋼管
１８…中詰め土
４０、５０、６０、７０…堤体
４２、５２、６２、７２…上部構造
４４、５４、６４、７４…フーチング
４６、５６、６６、７６…壁体
５８、７８…壁体連結用鋼管
【図１】
0005967037.tif 000002
【図２】
0005967037.tif 000003
【図３】
0005967037.tif 000004
【図４】
0005967037.tif 000005
【図５】
0005967037.tif 000006
【図６】
0005967037.tif 000007
【図７】
0005967037.tif 000008
【図８】
0005967037.tif 000009
【図９】
0005967037.tif 000010
【図１０】
0005967037.tif 000011
【図１１】
0005967037.tif 000012
【図１２】
0005967037.tif 000013
【図１３】
0005967037.tif 000014
【図１４】
0005967037.tif 000015
【図１５】
0005967037.tif 000016
【図１６】
0005967037.tif 000017
【図１７】
0005967037.tif 000018
【図１８】
0005967037.tif 000019
【図１９】
0005967037.tif 000020
【図２０】
0005967037.tif 000021
【図２１】
0005967037.tif 000022
【図２２】
0005967037.tif 000023